(57)【要約】  【課題】  携帯端末などを用いて、手軽にかついつでも占いができる電子占いシステムを提供することにある。  【解決手段】  携帯端末などの電子端末の一部に設けられた指紋画像情報入力装置１から利用者の指紋が入力されると、該指紋画像情報入力装置１はこの指紋を画像情報に変換して出力する。該指紋画像情報は、指紋画像情報分析装置２に入力され、特徴量を検出される。占いデータベース４には、指紋の特徴量と占い結果とが対で格納されており、類似検索装置３は、前記指紋画像情報分析装置２からの特徴量を基に占いデータベース４をアクセスし、該特徴量と距離が最も近い特徴量と対になっている占い結果を出力する。本発明によれば、運勢占いや相性占いなどができる。  【選択図】  図１
2005270292.tif 000002
【特許請求の範囲】
【請求項１】
電子占いシステムであって、
指紋を光学的に読み取り、画像信号に変換する指紋画像情報入力装置と、
該指紋画像情報入力装置によって得られた指紋画像を分析してその特徴量を検出する指紋画像情報分析装置と、
指紋の特徴量と占い結果とを対応させて保存する占いデータベースと、
前記指紋画像情報分析装置により検出された特徴量を基に、前記占いデータベース中の指紋の特徴量を類似検索し、占い結果を出力する類似検索装置とを具備したことを特徴とする電子占いシステム。
【請求項２】
電子占いシステムであって、
指紋を光学的に読み取り、画像信号に変換する指紋画像情報入力装置と、
該指紋画像情報入力装置によって得られた指紋画像を分析してその特徴量を検出する指紋画像情報分析装置と、
複数の異なる指紋の特徴量の組み合わせと占い結果とを対応させて保存する占いデータベースと、
前記指紋画像情報分析装置により検出された複数の特徴量の組み合わせを基に、前記占いデータベース中の指紋の特徴量の組み合わせを類似検索し、占い結果を出力する類似検索装置とを具備したことを特徴とする電子占いシステム。
【請求項３】
請求項１または２に記載の電子占いシステムであって、
前記指紋画像情報入力装置を電子携帯端末に設け、前記指紋画像情報分析装置、類似検索装置および占いデータベースをサーバに設けたことを特徴とする電子占いシステム。
【請求項４】
請求項１または２に記載の電子占いシステムであって、
前記指紋画像情報入力装置および指紋画像情報分析装置を電子携帯端末に設け、前記類似検索装置および占いデータベースをサーバに設けたことを特徴とする電子占いシステム。
【請求項５】
請求項１または２に記載の電子占いシステムであって、
前記指紋画像情報入力装置、指紋画像情報分析装置および類似検索装置を電子携帯端末に設け、前記占いデータベースをサーバに設けたことを特徴とする電子占いシステム。
【請求項６】
請求項２に記載の電子占いシステムであって、
前記指紋画像情報入力装置を電子携帯端末に設け、複数台の電子携帯端末から前記指紋を入力できるようにしたことを特徴とする電子占いシステム。
【請求項７】
前記請求項２又は６に記載の電子占いシステムであって、
前記占いデータベースには占い結果として、相性を含む占い結果が記録されていることを特徴とする電子占いシステム。
【発明の詳細な説明】
【技術分野】
【０００１】
この発明は電子占いシステムに関し、特に指紋占いを携帯電話などの通信端末を用いて電子的に行うようにした電子占いシステムに関する。
【背景技術】
【０００２】
例えば特開２００２−４４７２７号公報には、携帯電話の外表面の一部に利用者の指紋の特徴を認識する手段を設け、この指紋が予め外部の記憶装置に登録されている指紋と一致した時に、通信制限の解除を許容するようにした携帯電話機および携帯電話システムが開示されている。
【０００３】
一方、占いゲームや相性診断などのアミューズメントにおいては、生年月日、星座、姓名、性別、既婚・未婚の別、住所、趣味、喫煙の有無などの占い利用者の属性値を使用するもの、トランプ占いなどの占い利用者の選択に基づくもの、あるいは血液型、指紋、手相などの占い利用者の身体的特徴によるものなどがある。
【０００４】
なお、携帯電話機に占いやゲームの情報を配信する外部接続装置は、例えば下記の特許文献２に、また相性占い装置および相性占いプログラムは、例えば下記の特許文献３に開示されている。
【特許文献１】特開２００２−４４７２７号公報
【特許文献２】特開２００４−７４６４号公報
【特許文献３】特開２００３−３２５９７７号公報
【発明の開示】
【発明が解決しようとする課題】
【０００５】
前記した従来の占いゲームや相性診断などのアミューズメントは、いずれも人手による占いであり、占いの専門家（占い師）に頼るところが大きいという課題があった。また、個人的に占いをしようとすると、占いの仕方を本を読んで勉強したり、外部接続装置やインターネットなどから取得しなければならず、面倒であったり満足のいく占いができなかったりするという課題があった。
【０００６】
本発明は、前記従来技術の課題に鑑みてなされたものであり、携帯端末などを用いて、手軽にかついつでも占いができる電子占いシステムを提供することにある。また、他の目的は、一人あるいは複数人で、運勢占いや相性占いなどができるアミューズメント性の高い電子占いシステムを提供することにある。
【課題を解決するための手段】
【０００７】
前記した目的を達成するために、本発明は、指紋を光学的に読み取り、画像信号に変換する指紋画像情報入力装置と、該指紋画像情報入力装置によって得られた指紋画像を分析してその特徴量を検出する指紋画像情報分析装置と、指紋の特徴量と占い結果とを対応させて保存する占いデータベースと、前記指紋画像情報分析装置により検出された特徴量を基に、前記占いデータベース中の指紋の特徴量を類似検索し、占い結果を出力する類似検索装置とを具備した点に第１の特徴がある。
【０００８】
また、指紋を光学的に読み取り、画像信号に変換する指紋画像情報入力装置と、該指紋画像情報入力装置によって得られた指紋画像を分析してその特徴量を検出する指紋画像情報分析装置と、複数の異なる指紋の特徴量の組み合わせと占い結果とを対応させて保存する占いデータベースと、前記指紋画像情報分析装置により検出された複数の特徴量の組み合わせを基に、前記占いデータベース中の指紋の特徴量の組み合わせを類似検索し、占い結果を出力する類似検索装置とを具備した点に第２の特徴がある。
【発明の効果】
【０００９】
本発明によれば、指紋画像情報入力装置に指を当てるだけで占い結果を得られるので、手軽にかついつでも、占いあるいは相性占いをすることができ、本発明システムあるいは本発明サービスの利用者に大きな楽しみを与えることができるようになる。
【００１０】
また、本発明システムは携帯端末を用いて実施できるので、携帯電話利用者を含む広いユーザ層に、本発明システムあるいは本発明サービスを提供することができるようになる。また、携帯電話によるアミューズメント機能を拡張できるようになる。
【発明を実施するための最良の形態】
【００１１】
以下に、図面を参照して、本発明を詳細に説明する。図１は、本発明の一実施形態の概略の構成を示すブロック図である。
【００１２】
本実施形態の電子占いシステムは、指紋画像情報入力装置１，指紋画像情報分析装置２，類似検索装置３，占いデータベース４、および占い結果を表示する表示装置５から構成される。なお、前記指紋画像情報入力装置１，指紋画像情報分析装置２および表示装置５は携帯端末などの電子端末に設け、前記類似検索装置３および占いデータベース４はサーバや通信事業者の中央処理装置などに設けると好適であるが、後述するようにこれに限定されるものではない。
【００１３】
前記指紋画像情報入力装置１は、例えば前記特開２００２−４４７２７号公報の図２４に開示されている指紋認識部などにより実現できる。すなわち、図７に示されているように、携帯電話機の本体６０の一部の表面に設けられた凸状の押圧面部６１と、その直下に設けられたレンズ６３、光源６２と、該凸状の押圧面部６１に当接された指６６からの反射光を撮像するカメラ６４とから構成される。指紋画像情報を読み取る時には、利用者の指６６を前記押圧面部６１に押圧状態で接触させ、光源６２からの光を当てて指紋からの反射光をカメラ６４で画像として認識する。なお、該指紋画像情報入力装置１は携帯電話機に限らず、パソコン、電子手帳などの電子端末あるいは電子携帯端末に設けてもよい。
【００１４】
前記指紋画像情報分析装置２は、例えば前記特開２００２−４４７２７号公報の図３２に示されているような指紋特徴抽出部などを用いて実現することができる。該指紋画像情報分析装置２は、指紋画像情報入力装置１から出力される画像情報から指紋の特徴を分析して出力する。指紋の特徴量としては、例えば、２００２年５月２５日共立出版発行の「サイバーセキュリティによる生体認識技術」（瀬戸洋一著）に記されている、例えば「マニューシャ」と呼ばれる特徴量もまた使用できる。また、指紋には、大きく分けて、巻き型（巻いている指紋）と流れ型（流れている指紋）とに分類でき、前記巻き型は、渦巻き型と巴巻き型とに分類でき、前記流れ型は、順流れ型、逆流れ型、および下流れ型に分類できる。これらも、また特徴量とすることができる。該特徴量は、前記類似検索装置３へ送出される。
【００１５】
前記占いデータベース４には、予め、指紋の特徴量と該特徴量に対する占い結果の組み合わせ、すなわち（特徴量、占い結果）を対とする事例を、例えば占いの専門家から収集しておき、格納しておく。なお、該占いデータベース４に格納するデータの指紋の特徴量は、例えば占いの専門家から収集した指紋を前記指紋画像情報入力装置１から入力し、前記指紋画像情報分析装置２から出力される特徴量を用いて作成することができる。
【００１６】
前記類似検索装置３は、前記指紋画像情報分析装置２から出力される特徴量を入力として、予め占いデータベース４に格納されている事例の特徴量と最短距離の事例を検索し、その事例の占い結果を出力する。
【００１７】
図２は、前記占いデータベース４に格納されるデータの概念図である。図２では、各特徴量Ｃ［１］，Ｃ［２］，・・・，Ｃ［Ｍ］は、それぞれｎ次元ベクトルの特徴成分（ｃ１，ｃ２，・・・，ｃｎ）で表され、該各特徴量に占い結果が関連付けられて、占いデータベース４に保存されている一例を示している。前記ｎ次元ベクトルの特徴成分（ｃ１，ｃ２，・・・，ｃｎ）は、指紋に例えば該特徴成分があれば１，なければ０と表されている。
【００１８】
例えば、図３(a)に示されているような指紋があった場合、上方において左から右にスキャンし、該スキャンを徐々に下方へシフトして、同図(b)のような２次元の特徴成分を得る。この例では、指紋部分は１，非指紋部分は０となっている。この２次元の特徴成分を例えばスキャン順に連続して繋げれば、前記ｎ次元ベクトルの特徴成分（ｃ１，ｃ２，・・・，ｃｎ）を得ることができる。
【００１９】
また、他の例として、例えばｃ１＝渦巻き型、ｃ２＝巴巻き型、ｃ３＝順流れ型、ｃ４＝逆流れ型、ｃ５＝下流れ型としてもよい。また、右手あるいは左手の５本の指の指紋あるいは両手の１０本の指の指紋の特徴を、前記ｎ次元ベクトルの特徴成分（ｃ１，ｃ２，・・・，ｃｎ）としてもよい。
【００２０】
図示の例では、説明を簡単にするために、４通りの特徴量Ｃ［１］，Ｃ［２］，Ｃ［３］，Ｃ［４］と、それらに対応する占い結果が示されている。すなわち、特徴量Ｃ［１］とＣ［２］の占い結果が共に“大吉”であり、特徴量Ｃ［３］とＣ［４］は、それぞれ“中吉”と“小吉”であることを示している。また、特徴量Ｃ［１］は特徴成分（１，１，・・・，１）からなり、特徴量Ｃ［２］は特徴成分（１，０，・・・，０，１）からなることを示している。なお、前記占い結果は、大吉、中吉、小吉に限らず、例えば、「遺伝が優れていて、健康です」、「名誉、地位、財産を獲得します」、「常識に富み、まじめで忍耐力があります」、「知的で行動力があります」などの内容であっても良い。
【００２１】
前記特徴量と占い結果の対応付けは、Ｉ番目の占い事例の特徴量をＣ［Ｉ］、占い結果をＲ［Ｉ］とすると、（Ｃ［Ｉ］，Ｒ［Ｉ］）と表すことができる。この占い事例は、前記したように占い師などの専門家の占い結果を基に予め収集する。
【００２２】
次に、本実施形態の電子占いシステムを用いて、例えば携帯電話の利用者が占いをする方法について、図４および図５を参照して説明する。ここに、図４は電子占いシステムの要部の説明図、図５は類似検索装置の動作を示すフローチャートである。
【００２３】
携帯電話の利用者が占いをするために、前記指紋画像情報入力装置１から指紋を入力すると、該指紋の画像情報は前記指紋画像情報分析装置２で特徴量を求められ、該特徴量Ｋは類似検索装置３に入力される。該類似検索装置３は、特徴量Ｋと占いデータベース４に保存されている全ての事例（Ｃ［Ｉ］，Ｒ［Ｉ］）（Ｉ＝１，２，・・・，Ｍ）の特徴量Ｃ［Ｉ］から計算される距離を順番に比較して、距離が最小となる事例を選択する。
【００２４】
例えば、図５に示されているように、類似検索装置３は、ステップＳ１ではＩ＝０、ＤＭＩＮ＝Ｄ（Ｃ［０］，Ｋ）と置く。ここに、Ｄ（Ｃ［０］，Ｋ）は、特徴量Ｃ［０］と特徴量Ｋとの距離である。ステップＳ２では、Ｉ＞Ｍが成立したか否かの判断がなされ、この判断が否定の時にはステップＳ３に進んで、Ｄ（Ｃ［Ｉ］，Ｋ）＜ＤＭＩＮが成立するか否かの判断がなされる。この判断が肯定の時にはステップＳ４に進んで、ＤＭＩＮ＝Ｄ（Ｃ［Ｉ］，Ｋ）およびＩＭＩＮ＝Ｉと置かれる。一方、ステップＳ３の判断が否定の時には前記ステップＳ４はスキップしてステップＳ５に進みＩを１だけインクリメントする。次いで、ステップＳ２に戻って、前記した処理が繰り返される。これらの処理が繰り返された結果、ステップＳ２の判断が肯定になると、類似検索装置３の動作は終了し、前記ステップＳ４で得られたＣ［Ｉ］と対の占い結果Ｒ［Ｉ］が、占い結果として出力される。この占い結果は、表示装置５に表示される。なお、該占い結果を、音声で利用者に伝えるようにしても良い。
【００２５】
なお、前記距離Ｄ（Ｃ［Ｉ］，Ｋ）は、Ｃ［Ｉ］の特徴成分をｃｊ，Ｋの特徴成分をｋｊ（ｊ＝１，２，・・・，ｎ）とすると、ｎ次元ベクトル間ユークリッド距離を利用して、次式で表すことができる。
【００２６】
【数１】
2005270292.tif 000003
【００２７】
以上の実施形態によれば、例えば携帯電話の利用者が、携帯電話の本体の一部に形成された指紋画像情報入力装置に特定の指または複数本の指の腹を当てて指紋を入力するだけで、指紋占いのサービスを享受することができるようになる。この結果、携帯電話の利用者に新たな楽しみを与えることができるようになる。
【００２８】
次に、本発明の第２実施形態を説明する。この実施形態は、二人以上の携帯電話などの利用者間の相性占いなどを、指紋情報を利用して実施できるようにしたものである。図６は、該実施形態の概略の構成を示すブロック図である。
【００２９】
図において、１１，２１は、それぞれ第１、第２の携帯端末、３１は類似検索装置、３２は占いデータベース、３３は表示装置である。なお、類似検索装置３１と占いデータベース３２とは、例えばサーバに設置すると好適であるが、後述するようにこれに限定されるものではない。
【００３０】
第１、第２の携帯端末は同じ構成であり、第１の携帯端末１１は指紋画像情報入力装置１２と指紋画像情報分析装置１３を含んでおり、第２の携帯端末２１は指紋画像情報入力装置２２と指紋画像情報分析装置２３を含んでいる。なお、該指紋画像情報入力装置１２、２２と指紋画像情報分析装置１３、２３は、図１の指紋画像情報入力装置１と指紋画像情報分析装置２と同じ機能を有しているので、説明を省略する。
【００３１】
前記占いデータベース３２には、Ｍ組（Ｍは正の整数）の二人の利用者の事例が収集され、予め格納されている。図示されているように、特徴量Ｃ１［１］，Ｃ２［１］，Ｒ［１］〜Ｃ１［Ｍ］，Ｃ２［Ｍ］，Ｒ［Ｍ］が格納されている。なお、上記の表記は、Ｉ番目の組を構成する一人目の特徴量をＣ１［Ｉ］、二人目の特徴量をＣ２［Ｉ］とし、その相性の占い結果をＲ［Ｉ］としている。ただし、Ｉ＝１，２，・・・，Ｍである。
【００３２】
次に、本実施形態を用いて相性占いをする方法を説明する。二人組の利用者に対して相性占いサービスをする場合には、各利用者が自分の携帯電話から指紋を入力する。今、第１の携帯端末１１から指紋の特徴量Ｋ１が得られ、第２の携帯端末２１から指紋の特徴量Ｋ２が得られ、それぞれが類似検索装置３１に送られる。
【００３３】
類似検索装置３１は、前記特徴量Ｋ１，Ｋ２と、前記占いデータベース３２に格納されている前記事例との距離を求め、最小距離の事例を検索し、該事例の占い結果Ｒ［Ｉ］を相性占い結果として出力する。この距離の求め方としては、例えば、前記特徴量Ｋ１，Ｋ２を結合して新たな特徴量Ｋ３を作り、またＣ１［Ｉ］とＣ２［Ｉ］とを結合して特徴量Ｋ３と同じ形式の新たな特徴量Ｃ３［Ｉ］を作り、該新たな特徴量Ｋ３とＣ３［Ｉ］との距離を求めるようにすれば、前記(1)式を利用することができる。また、最小距離の事例の検索は、図５と同様の処理により行うことができる。前記の相性占い結果は、表示装置３３に表示することができる。なお、該相性占い結果を、音声で伝えるようにしてもよい。
【００３４】
なお、前記の説明では、２つの携帯端末１１，２１を想定したが、１台の端末から順次２人の指紋を入力し、類似検索装置３１で２つの指紋の特徴量Ｋ１，Ｋ２を組み合わせて類似検索をするようにしても良い。また、２人の相性占いを例に挙げて説明したが、３人以上の相性占いも、図６において携帯端末の個数を追加し、また占いデータベースの事例を３個以上の特徴量とその占い結果の組み合わせにすれば可能になることは明らかである。また、１台の端末から３人以上の指紋を順次入力するようにしてもよい。
【００３５】
また、前記した実施形態では、例えば図１の類似検索装置３と占いデータベース４とをサーバに設置し、指紋画像情報入力装置１と指紋画像情報分析装置２と表示装置５とを端末に設ける例で説明したが、本発明はこれに限定されず、指紋画像情報入力装置１と表示装置５のみを端末に設けて、他の装置すなわち指紋画像情報分析装置２、類似検索装置３および占いデータベース４をサーバに設ける方式、あるいは前記装置１〜５の全てを端末に設ける方式も考えられる。
【図面の簡単な説明】
【００３６】
【図１】本発明の第１の実施形態の概略の構成を示すブロック図である。
【図２】占いデータベースの概念図である。
【図３】指紋と該指紋の特徴成分の説明図である。
【図４】類似検索装置の動作の概要を示す説明図である。
【図５】類似検索装置の動作を説明するフローチャートである。
【図６】本発明の第２の実施形態の概略の構成を示すブロック図である。
【図７】指紋画像情報入力装置の一例の説明図である。
【符号の説明】
【００３７】
１，１２，２２・・・指紋画像情報入力装置、２，１３，２３・・・指紋画像情報分析装置、３，３１・・・類似検索装置、４，３２・・・占いデータベース、５，３３・・・表示装置。
【図１】
2005270292.tif 000004
【図２】
2005270292.tif 000005
【図３】
2005270292.tif 000006
【図４】
2005270292.tif 000007
【図５】
2005270292.tif 000008
【図６】
2005270292.tif 000009
【図７】
2005270292.tif 000010